(57)【要約】  空気調和機１００においては、吸込み抵抗に対して吹出口での逆流が生じにくくなっており、この空気調和機１００は、吸込口２ｂおよび吹出口３を有する本体１と、本体１内に設けられた貫流ファン８と、本体１内に設けられた熱交換器７とを備えており、本体１は、少なくとも、前面１ａ、背面１ｃ、上面１ｂおよび下面１ｄを含んでおり、吸込口２ｂは、上面１ｂに形成されており、本体高さ寸法Ｈ／ファン外径Ｄｆは、２．２〜２．７であり、熱交換器７の前上傾斜部７ａ’の後部と、鉛直方向との間の傾斜角度βは、３０°〜４５°である。
2016067408.tif 000002
【特許請求の範囲】
【請求項１】
吸込口および吹出口を有する本体と、
前記本体内に設けられた貫流ファンと、
前記本体内に設けられた熱交換器とを備え、
前記本体は、前面、背面、上面および下面を含んでおり、
前記吸込口は、前記上面に形成されており、
前記本体高さ寸法Ｈ／ファン外径Ｄｆは、２．２〜２．７であり、
前記熱交換器の前上傾斜部の後部と、鉛直方向との間の傾斜角度βは、３０°〜４５°である、
空気調和機。
【請求項２】
前記吹出口の上流は、吹出側流路であり、
前記吹出側流路における前記背面側は、ガイドウォールによって画定されており、
前記熱交換器の熱交換器前部の上端は、ファン回転中心Ｏより前方に配置されており、
前記熱交換器前部の上端からファン外周端までの高さ差を、最小高さＨ１とし、前記熱交換器前部の上端から前記ガイドウォールの開始端までの前後方向距離を、前後方向距離Ｄｇとしたとき、最小高さＨ１／前後方向距離Ｄｇは、１．１〜１．４である、
請求項１の空気調和機。
【請求項３】
前記熱交換器前部の上端からファン外周端までの高さ差を、最小高さＨ１としたとき、最小高さＨ１／ファン外径Ｄｆが、０．５〜０．７である、
請求項１または２の空気調和機。
【請求項４】
前記吹出口の上流は、吹出側流路であり、
前記吹出側流路における前記背面側は、ガイドウォールによって画定されており、
吸込側流路及び前記吹出側流路を区画するスタビライザーの先端部は、舌部であり、
側方から見て、前記貫流ファンと前記舌部との距離が最も小さい位置を、該舌部の最小ギャップ位置とし、該最小ギャップ位置とファン回転中心Ｏとを結ぶ仮想の直線を、直線Ｘ１とし、ファン回転中心Ｏと前記ガイドウォールの開始端とを結ぶ仮想の直線を、直線Ｘ２とし、前記直線Ｘ１と前記直線Ｘ２との成す角度のうち前記吸込側流路の側で生じる角度を、ファン吸込角度γとしたとき、前記ファン吸込角度γは、１５０°〜１８０°であり、
前記吹出側流路における前記前面側は、ディフューザーによって画定されており、
前記ディフューザーは、側方から見て、該ディフューザーの下流側ほど該ディフューザーの上流部の延長方向である上流部仮想直線Ｓ１から離れる部分を有している、
請求項１〜３の何れか一項の空気調和機。
【請求項５】
前記吹出口の上流は、吹出側流路であり、
前記吹出側流路における前記前面側は、ディフューザーによって画定されており、
側方から見て、前記ディフューザーの上流部の直線部分の延長方向を上流部仮想直線Ｓ１とし、前記ディフューザーの下流部の直線部分の延長方向を下流部仮想直線Ｓ２としたとき、前記上流部仮想直線Ｓ１と前記下流部仮想直線Ｓ２との成す角度αは、５°〜４０°である、
請求項１〜４の何れか一項の空気調和機。
【発明の詳細な説明】
【技術分野】
【０００１】
本発明は、空気調和機に関するものである。
【背景技術】
【０００２】
特許文献１に開示の空気調和機は、本体の内部に、熱交換器と、送風ファンとが設けられている。熱交換器は、本体内の後部に配置された後方傾斜部と、後方傾斜部の上端から折れ曲がるようにして下方に傾斜した下方傾斜部とを有する。空気調和機の本体は、奥行寸法が高さ寸法より大きい薄型に形成されている。【０００３】
また、特許文献２に開示の空気調和機では、本体の上面部が、天井面に対しほぼ平行な平面であり、本体の底面部が、背面側から正面側に行くに従って上方に上がっており、本体は、奥行寸法が高さ寸法より大きい薄型に形成されている。
【先行技術文献】
【特許文献】
【０００４】
【特許文献１】特開２００１−２０１０７７号公報
【特許文献２】特開平５−９９４５４号公報
【発明の概要】
【発明が解決しようとする課題】
【０００５】
上述したように、空気調和機の本体が、その奥行寸法が高さ寸法より大きい薄型に形成されている場合、室内インテリアとして違和感を感じさせず、壁面の取り付け面積を抑えることができる利点がある。【０００６】
その一方、高さ方向に関して薄型となることで、以下の課題も存在する。【０００７】
まず、上述した特許文献１の空気調和機では、ファン吸込側において、熱交換器とファンが接近し、ファン吸込み領域が狭くなり、均一に空気を吸込みづらくなる。このため、ファン吹き出し流れが不安定となり、フィルタにホコリなどが付着して通風抵抗が増加した場合や、冷房時、熱交換器に凝縮水が生成されることで、ファン吸込み側での通風抵抗が増加した場合、本体吹出口からファンへ向け逆流が起こる問題があり、特に冷房時では、ファンが結露し部屋に飛散し汚してしまう恐れがある。【０００８】
また、上述した特許文献２の空気調和機では、ファン吹出側において、本体吹出口とファン外周との距離が小さくなるため、上記と同様、通風抵抗が増加した場合、ファン吹出し流れが不安定となり、逆流が起こる問題があり、特に冷房時では、ファンが結露し部屋に飛散し汚してしまう恐れがある。【０００９】
本発明は、上記に鑑みてなされたものであり、吸込み抵抗に対して吹出口での逆流が生じにくい、空気調和機を提供することを目的とする。
【課題を解決するための手段】
【００１０】
上述した目的を達成するため、本発明の空気調和機は、吸込口および吹出口を有する本体と、前記本体内に設けられた貫流ファンと、前記本体内に設けられた熱交換器とを備え、前記本体は、前面、背面、上面および下面を含んでおり、前記吸込口は、前記上面に形成されており、前記本体高さ寸法Ｈ／ファン外径Ｄｆは、２．２〜２．７であり、前記熱交換器の前上傾斜部の後部と、鉛直方向との間の傾斜角度βは、３０°〜４５°である。
【発明の効果】
【００１１】
本発明によれば、吸込み抵抗に対して吹出口での逆流が生じにくい、空気調和機を提供することができる。
【図面の簡単な説明】
【００１２】
【図１】本発明の実施の形態１を示す空気調和機の、部屋内から見たときの設置状態を示す図である。
【図２】本実施の形態１の空気調和機の内部構造を側方から示す図である。
【図３】本体高さ寸法Ｈ／ファン外径Ｄｆに対するモータ消費電力比の関係を示すグラフである。
【図４】本体高さ寸法Ｈ／ファン外径Ｄｆと、逆流するときの付加抵抗との関係を示したグラフである。
【図５】熱交換器の傾斜角度βと、露の滴下有無との関連を示す表である。
【図６】最小高さＨ１／前後方向距離Ｄｇと、逆流するときの吸込み側への付加抵抗との関係を示すグラフである。
【図７】最小高さＨ１／ファン外径Ｄｆと、逆流するときの吸込み側への付加抵抗との関係を示すグラフである。
【図８】ファン吸込角度γと、逆流するときの吸込み側への付加抵抗との関係を示すグラフである。
【図９】角度αとモータ消費電力との関係を示すグラフである。
【図１０】角度α＝０°の状態との騒音差の、角度αによる変化を示すグラフである。
【図１１】貫流ファンの周囲に、熱交換器前部および熱交換器後部が配置される仕様を示す、図２と同態様の図である。
【発明を実施するための形態】
【００１３】
以下、本発明に係る空気調和機（室内機）の実施の形態について添付図面に基づいて説明する。なお、図中、同一符号は同一又は対応部分を示すものとする。また、室外機については、既存のものを用いることができる。
【００１４】
実施の形態１．
図１は、本発明の実施の形態１における空気調和機の部屋から見たときの設置概要図である。図２は、本実施の形態１の空気調和機の内部構造を側方から示す図である。なお、図２は、空気調和機の水平吹き運転時（横吹き時）の状態を示す。
【００１５】
図１に示されるように、空気調和機（室内機）１００は、ケースとしての本体１を備えている。空気調和機１００は、壁掛け型の例であり、空調対象空間である部屋１１の壁１１ａに支持されている。なお、本発明の空気調和機は、一般家庭の部屋に設置されることに限定されるものではなく、たとえば施設のビルの一室や倉庫などに設置されていてもよい。
【００１６】
また、本発明の空気調和機は、いわゆる天井埋込型ではない空気調和機であり、本体の背面が空気調和対象空間を画定している壁面（天井や床を除く壁）に当接しておりまたは近づいており、本体の前面が当該空気調和対象空間側に向いている空気調和機である。別な言い方をすれば、本発明の空気調和機は、天井埋込型のように吸込口と吹出口とを同じ面に持たず、空気調和対象空間の中央部を外れて、空気調和対象空間を画定している壁面に寄って配置されていればよい。
【００１７】
本体１は、概ね直方体状の筐体である。具体的には、本体１は、部屋１１の壁１１ａに対面する背面１ｃと、背面１ｃの反対側である前面１ａと、上面１ｂと、下面１ｄと、左右一対の側面１ｅとを含んでいる。
【００１８】
本体１の上面１ｂには、室内空気を空気調和機１００内に吸い込むためのグリル型の吸込口２ｂが形成されている。空気調和機１００では、吸込口は、本体１の上面１ｂにのみ設けられている。本体１の下面１ｄにおける前部には、調整された空気を室内に供給するための吹出口３が形成されている。本体１の前面１ａには、前面グリル６が取り付けられている。
【００１９】
本体１の内部には、羽根車８ａを有する貫流ファン８と、ガイドウォール１０とが配置されている。貫流ファン８は、吸込側流路（ファン吸込側領域）Ｅ１及び吹出側流路（ファン吹出側領域）Ｅ２の間に配置され、吸込口２ｂから空気を吸い込み、吹出口３へと空気を吹き出す。ガイドウォール１０は、貫流ファン８の後方から下方にわたって延びており、貫流ファン８から放出された空気を吹出口３に導く。
【００２０】
貫流ファン８の羽根車８ａは、後述する羽根車単体８ｄが、複数連結されて構成されている。羽根車単体８ｄは、複数の翼８ｃと、それら翼８ｃの端部側に固定されるリング８ｂとを含んでいる。より詳細には、羽根車８ａは、円板状のリング８ｂの外周部側面から略垂直に延びた複数の翼８ｃが、リング８ｂの周方向に所定間隔で連設して構成される羽根車単体８ｄを、複数溶着し連結して一体としたものである。
【００２１】
さらに、本体１の内部には、吸込口２ｂから吸い込まれる空気中の塵埃などを除去するフィルタ（通風抵抗体）５と、冷媒の温熱又は冷熱を空気に伝達して空調空気を生成する熱交換器（通風抵抗体）７と、吸込側流路Ｅ１及び吹出側流路Ｅ２を区画するスタビライザー９とが配置されている。
【００２２】
ガイドウォール１０は、スタビライザー９の下面に形成されているディフューザー３ａと協働して、吹出側流路Ｅ２を構成するものである。すなわち、吹出側流路における本体１の前面１ａ側は、ディフューザー３ａによって画定されており、吹出側流路における本体１の背面１ｃ側は、ガイドウォール１０によって画定されており、吹出側流路が、対向するディフューザー３ａおよび前記ガイドウォール１０によって構成されている。ガイドウォール１０は、貫流ファン８から吹出口３にかけて渦巻き面を形成している。
【００２３】
フィルタ５は、たとえば網目状に形成され、吸込口２ｂから吸い込まれる空気中の塵埃などを除去するものである。フィルタ５は、吸込口２ｂから吹出口３までの風路のうち、吸込口２ｂの下流側であって熱交換器７の上流側に設けられている。また、フィルタ５は、熱交換器７の上方から前方にわたって延びている。
【００２４】
熱交換器７（室内熱交換器）は、冷房運転時において、蒸発器として機能して空気を冷却し、暖房運転時において、凝縮器（放熱器）として機能して空気を加温するものである。この熱交換器７は、吸込口２ｂから吹出口３までの風路（本体１内部の中央部）のうち、フィルタ５の下流側であって貫流ファン８の上流側に設けられている。
【００２５】
熱交換器７は、貫流ファン８の前部及び上部を取り囲むような形状をしている。熱交換器７は、熱交換器前部７ａを含んでいる。熱交換器前部７ａは、貫流ファン８の前方および上方にわたって延びている。また、熱交換器前部７ａは、下方の部分ほど前方に位置する（前面１ａに近づくように位置する）向きに傾斜した前上傾斜部７ａ’を含んでいる。
【００２６】
貫流ファン８の後方およびガイドウォール１０の後方には、隔壁として機能する閉鎖部材７ｃが設けられている。熱交換器前部７ａの上端からガイドウォール１０の背面側へは閉鎖部材７ｃが延びている。一例であるが、閉鎖部材７ｃは、熱交換器の外郭形状となる箱状部材で構成されている。
【００２７】
熱交換器７は、圧縮機、室外熱交換器、及び絞り装置などを有する周知の態様でよい室外機に接続されて冷凍サイクルを構成しているものとする。また、熱交換器７には、例えば伝熱管と多数のフィンとにより構成されるクロスフィン式のフィン・アンド・チューブ型熱交換器が用いられている。
【００２８】
吹出側流路には、上下風向ベーン４ａと、左右風向ベーン４ｂとが設けられている。左右風向ベーン４ｂは、上下風向ベーン４ａと、貫流ファン８との間に回動可能に設けられている。上下風向ベーン４ａは、貫流ファン８から吹き出された空気の方向のうちの上下方向を調整するものであり、左右風向ベーン４ｂは、貫流ファン８から吹き出された空気の方向のうちの左右方向を調整するものである。上下風向ベーン４ａと、左右風向ベーン４ｂとは、相互に独立して回動駆動される。
【００２９】
上下風向ベーン４ａは、水平吹き運転時の姿勢でみて、上下風向ベーン４ａの上面および下面が共に下向きに出っ張る凸形状を有している。
【００３０】
スタビライザー９は、上記のように吸込側流路Ｅ１と吹出側流路Ｅ２とを区画するもので、図２に図示されるように熱交換器７の下側に設けられている。吸込側流路Ｅ１は、スタビライザー９の上方に位置し、吹出側流路Ｅ２は、スタビライザー９の下方に位置している。
【００３１】
スタビライザー９は、舌部９ａと、熱交換器７から滴下される水滴を一時貯水するドレンパン９ｂと、ディフューザー３ａとを有する。舌部９ａは、スタビライザー９の先端部に位置しており、貫流ファン８と向き合っている。ディフューザー３ａは、上記のようにスタビライザー９の下面に形成されており、吹出口３の吹出側流路の上壁面（前面側壁面）として機能する。
【００３２】
図２に示されるように、ディフューザー３ａの上流部３ａ１は、ガイドウォール１０の下流部１０ａの延びる方向と同じ向きに延びており、ディフューザー３ａの上流部３ａ１は、側方から見て、ガイドウォール１０の下流部１０ａと概ね平行に並んでいる。ディフューザー３ａの上流部３ａ１は、ガイドウォール１０の下流部１０ａに対向している。
【００３３】
また、ディフューザー３ａの上流部３ａ１は、側方から見て、直線部分を有している。図２に示すように側方から見て、ディフューザー３ａの上流部３ａ１の直線部分の延長方向を上流部仮想直線Ｓ１とすると、ディフューザー３ａの下流部３ａ２は、下流部３ａ２の下流側ほど、上流部仮想直線Ｓ１から下側に向けて離れるように延びている。すなわち、ディフューザー３ａは、側方から見て、ディフューザー３ａの下流側ほどディフューザー３ａの上流部３ａ１の延長方向である上流部仮想直線Ｓ１から離れる部分を有する。特に、図２の図示例では、ディフューザー３ａは、ディフューザー３ａの上流部３ａ１の上流部仮想直線Ｓ１を挟んで上方に位置するような部位を有しないように構成されている。
【００３４】
また、ディフューザー３ａの下流部３ａ２は、側方から見て、直線部分を有している。ディフューザー３ａの下流部３ａ２の直線部分の延長方向を下流部仮想直線Ｓ２とすると、下流部仮想直線Ｓ２は、上流部仮想直線Ｓ１よりも下方にある。ディフューザー３ａは、ディフューザー３ａの上流部３ａ１と下流部３ａ２との間に位置する部分３ａ３において屈曲または湾曲している。
【００３５】
本実施の形態１では、本体奥行寸法Ｄが本体高さ寸法Ｈよりも大きい。本体奥行寸法Ｄは、本体１の前面１ａと背面１ｃとの間隔の最大値であり、本体高さ寸法Ｈは、本体１の上面１ｂと下面１ｄとの間隔の最大値である。また、本体高さ寸法Ｈ／ファン外径Ｄｆ＝２．２〜２．７となっている。さらに、熱交換器７の熱交換器前部７ａの前上傾斜部７ａ’の後部と、鉛直方向との間の傾斜角度βは、３０°〜４５°である。なお、この傾斜角度βは、側方から見て、鉛直方向を示すラインと、前上傾斜部７ａ’の後部との交点（図２の例では、熱交換器前部７ａの上端７ｄ）に対して、前方且つ下方にひろがっている角度である。また、図示例では、本体１の前面１ａの大部分および背面１ｃの大部分が、概ね鉛直方向に沿って延びている。なお、ファン外径Ｄｆは、羽根車の最外径を示し、本実施の形態ではリング８ｂの外径で示すが、翼８ｃの外周接円径でも所定数値範囲で同様な効果が得られる。
【００３６】
このような構成によれば、次のような作用が得られる。まず、ファン外径が大きすぎると、ファン吸込側ではファンと熱交換器とが接近しすぎ、熱交換器通過後の流れがガイドウォール上流端まで流れづらく、また、ファン吹出側では吹出口とファンとの距離が近いためガイドウォール側に低速域が発生し、吹出口から逆流してしまう恐れがある。また、不均一な分布で流入することで損失が増しモータの消費電力が増加してしまう。一方、ファン外径が小さすぎると、必要風量送風するため回転数を上昇させる必要からモータ消費出力が増加し省エネでなくなる。
【００３７】
これに対して、本実施の形態１では、本体奥行寸法が本体高さ寸法よりも大きいことで、本体が高さ方向で薄型となり、本体１の上面１ｂと天井面（図示せず）との距離、および、本体１の下面１ｄとカーテンレール（図示せず）との距離が広がり、設置時の通風抵抗の増加が抑制できる。また、親水性処理された熱交換器が、部屋の撥水化物質の影響で親水性が削がれても熱交換器で生成された凝縮水がファンへ滴下しない。また、熱交換器を高密度に実装可能で、熱交換量を増加でき、高性能化が図れる。
【００３８】
図３は、本体高さ寸法Ｈ／ファン外径Ｄｆに対するモータ消費電力比の関係を示しており、Ｈ／Ｄｆが２．２以上且つ２．７以下であれば、少なくとも特性変化が小さく安定した効果が得られていることがわかる。
【００３９】
また、図４は、本体高さ寸法Ｈ／ファン外径Ｄｆと、逆流するときの付加抵抗との関係を示したグラフであり、Ｈ／Ｄｆが２．２以上であれば、少なくとも付加抵抗が付加されても、逆流しづらいことがわかる。
【００４０】
また、図５は、熱交換器の上記傾斜角度βと、露の滴下有無との関連を示す表であり、熱交換器のフィンにシリコン材を塗布して撥水化させ、水滴を供給した時の熱交換器の前面風速Ｖ（０．５［ｍ／ｓ］、１．０［ｍ／ｓ］、１．５［ｍ／ｓ］、２．０［ｍ／ｓ］）を変更した場合の滴下有無状態を示している。
【００４１】
以上より、少なくともＨ／Ｄｆ＝２．２〜２．７、β＝３０°〜４５°であれば、吸込み抵抗に対して吹出口での逆流が生じにくく、省エネで品質が高い空気調和機が得られる。
【００４２】
また、本実施の形態１では、熱交換器前部７ａの上端（後端）７ｄは、ファン回転中心Ｏより前方に配置されており、すなわち、前後方向に位置に関して、ファン回転中心Ｏより本体１の前面１ａに近い位置に配置されている。また、熱交換器前部７ａの上端７ｄからファン外周端（ファン外周端の回転軌跡における最上部）までの高さ差を、最小高さＨ１とし、熱交換器前部７ａの上端７ｄからガイドウォール開始端（最上部）１０ｂまでの前後方向距離（水平距離）を、前後方向距離Ｄｇとしたとき、最小高さＨ１／前後方向距離Ｄｇは、１．１〜１．４とする。
【００４３】
このような構成によれば、次のような作用が得られる。まず、熱交換器前部の上端がファン回転中心より前方にある場合、流れがガイドウォールまで流れづらいという問題がある。また、最小高さＨ１がＤｇに対し大きすぎると、貫流ファンの後方側に熱交換器がない構成（例えば図２に示すとおり、閉鎖部材７ｃで示す位置に熱交換器がない構成）の場合、ファン吸込側領域Ｅ１のガイドウォール側で流れが不安定となり、ファン吹出側領域Ｅ２のガイドウォール表面に流れなくなるため、フィルタにホコリが堆積して通風抵抗が増加した場合、あるいは、冷房時熱交換器に凝縮水が付着して通風抵抗が増加した場合、本体外部より逆流が生じる恐れが生じる。そのため品質が低下してしまう。
【００４４】
これに対して、本実施の形態１では、熱交換器前部７ａの上端７ｄと、ガイドウォール開始端１０ｂとが、上記のような条件を満たすように設けられていることで、ファン吸込側領域のガイドウォール側領域も流れが安定した気流となり、上記問題は発生せず高品質な空気調和機を得られる。
【００４５】
図６は、最小高さＨ１／前後方向距離Ｄｇと、逆流するときの吸込み側への付加抵抗との関係を示すグラフである。最小高さＨ１が前後方向距離Ｄｇに対し大きすぎると、ファンから上方の本体高さが高くなり、薄型本体の実現が困難になる。また、同一本体高さ内の場合、ファン吹出し側で高さが確保できず不安定になり、付加抵抗が低くても逆流してしまう。一方、少なくともＨ１／Ｄｇが１．１〜１．４であれば、流れが安定し、高品質な空気調和機が得られる。
【００４６】
また、本実施の形態１では、最小高さＨ１／ファン外径Ｄｆが、０．５〜０．７である。
【００４７】
このような構成によれば、次のような作用が得られる。まず、ファン外径に対して、最小高さが小さすぎると、熱交換器前部の上端からの流れは、ガイドウォールまで流れづらく、特に、貫流ファンの後方側に熱交換器がない構成の場合、ファン吸込側領域のガイドウォール側領域で流れが不安定となり、ファン吹出側領域のガイドウォール表面に流れなくなる。このため、フィルタにホコリが堆積して通風抵抗が増加した場合、あるいは、冷房時熱交換器に凝縮水が付着して通風抵抗が増加した場合、本体外部より逆流が生じる恐れが生じる。そのため空気調和機の品質が低下してしまう。
【００４８】
これに対して、本実施の形態１では、最小高さＨ１／ファン外径Ｄｆが、０．５〜０．７であることにより、通風抵抗が付加されても流れの挙動が悪化しづらく、空気調和機の品質を確保することができる。図７は、最小高さＨ１／ファン外径Ｄｆと、逆流するときの吸込み側への付加抵抗との関係を示すグラフである。最小高さＨ１がファン外径Ｄｆに対し大きすぎると、ファンから上方の本体高さが高くなり、同一本体高さ内の場合、ファン吹出し側で高さが確保できず不安定になり、付加抵抗が低くても逆流してしまう。一方、最小高さＨ１／ファン外径Ｄｆが、少なくとも０．５〜０．７であれば通風抵抗が付加されても流れの挙動が悪化しづらい。
【００４９】
また、本実施の形態１では、側方から見て、貫流ファン８とスタビライザー９の舌部９ａとの距離が最も小さい位置を、舌部９ａの最小ギャップ位置９ｃとし、最小ギャップ位置９ｃとファン回転中心Ｏとを結ぶ仮想の直線を、直線Ｘ１とし、ファン回転中心Ｏとガイドウォール開始端１０ｂとを結ぶ仮想の直線を、直線Ｘ２とし、直線Ｘ１と直線Ｘ２との成す角度のうちファン吸込側領域Ｅ１側で生じる角度を、ファン吸込角度γとしたとき、ファン吸込角度γは、１５０°〜１８０°である。さらに、吹出口３は、本体１の下面１ｄにおける前部に開口し、ディフューザー３ａは、側方から見て、ディフューザー３ａの下流側ほどディフューザー３ａの上流部３ａ１の延長方向である上流部仮想直線Ｓ１から離れる部分を有する。
【００５０】
このような構成によれば、次のような作用が得られる。ファンからガイドウォールに反射した騒音を、ディフューザーのファン下流部の壁面により、本体下方へと反射し、空気調和機の正面側への騒音放射を抑制し、静音化を図ることができる。また、ディフューザーの下流部で壁面流れが増速することで、吸込口側に設けられるフィルタにホコリが堆積し通風抵抗が増加することで発生する吹出口からファンへ逆吸込み流れを阻害できるので、冷房時高温高湿な空気が空気調和機内部に逆流せず結露しないので品質向上が図れる。さらに、ファン吸込角度γが大きすぎると、吸込み範囲が広くなりすぎ、羽根車内部の舌部側に形成される貫流ファン特有の循環渦側に流れが寄ることで、ガイドウォール側に流れづらくなり、流れが不安定となるところ、本実施の形態１では、図８に示されるように、ファン吸込角度γを１５０°〜１８０°とすることで、流れが安定することが分かる。
【００５１】
また、本実施の形態１では、上流部仮想直線Ｓ１と下流部仮想直線Ｓ２との成す角度αは、５°〜４０°が好適である。図９は、角度αとモータ消費電力との関係を示すグラフであり、図１０は、角度α＝０°の状態との騒音差の、角度αによる変化を示すグラフである。図９より、角度αが４０°以下であれば少なくともモータ消費電力の悪化は小さいことが分かる。また、角度αが５°〜４０°であれば、少なくとも騒音低減効果があることが分かる。すなわち、ファンからガイドウォールに反射した騒音を、ディフューザーのファン下流側壁面により、本体下方へ反射し、空気調和機の正面側への騒音放射を抑制し、静音化を図れ、かつ、ディフューザーの下流部により、通風抵抗が増大しないので、モータの消費電力が悪化せず、静音化と省エネとの両立が実現される。
【００５２】
また、本実施の形態１の特徴の一つに、貫流ファン８の周囲に、熱交換器前部７ａおよび閉鎖部材７ｃが配置される仕様と、貫流ファン８の周囲に、熱交換器前部７ａおよび熱交換器後部７ｂが配置される仕様とが共用できる点がある。
【００５３】
熱交換器後部７ｂは、熱交換器前部７ａと同様、熱交換器７の一部として機能する。つまり、貫流ファン８の周囲に、熱交換器前部７ａおよび熱交換器後部７ｂが配置される仕様では、熱交換器７が、熱交換器前部７ａと、熱交換器後部７ｂとにより構成されており、熱交換器７は、貫流ファン８の前部、上部および後部を取り囲むような形状をしている。
【００５４】
熱交換器後部７ｂは、貫流ファン８の上方および後方にわたって延びている。また、熱交換器後部７ｂは、下方の部分ほど後方に位置する（背面１ｃに近づくように位置する）向きに傾斜した後上傾斜部７ｂ’を含んでいる。
【００５５】
さらに、後上傾斜部７ｂ’に対しても、前述した前上傾斜部７ａ’の場合と同様、傾斜角度βがある。すなわち、熱交換器後部７ｂの後上傾斜部７ｂ’の前部と、鉛直方向との間の傾斜角度βは、熱交換器前部７ａの前上傾斜部７ａ’の後部と、鉛直方向との間の傾斜角度βと、同じである。具体的な一例としては、熱交換器後部７ｂの後上傾斜部７ｂ’の前部と、鉛直方向との間の傾斜角度β、および、熱交換器前部７ａの前上傾斜部７ａ’の後部と、鉛直方向との間の傾斜角度βは、共に、３０°〜４５°である。
【００５６】
このような構成によれば、本体での必要熱交換能力に対し、風路は共用のまま、熱交換器の容量を変更することで対応することができるので、熱交換器を過剰に搭載することを避けることができ、材料の無駄が省け、省資源化及び本体の軽量化を図ることができる。
【００５７】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００５８】
１  本体、１ａ  前面、１ｂ  上面、１ｃ  背面、１ｄ  下面、１ｃ  背面、２ｂ  吸込口、３  吹出口、３ａ  ディフューザー、３ａ１  ディフューザーの上流部、３ａ２  ディフューザーの下流部、７  熱交換器、７ａ  熱交換器前部、７ｄ  熱交換器前部の上端、８  貫流ファン、９  スタビライザー、９ａ  舌部、９ｃ  最小ギャップ位置、１０  ガイドウォール、１０ｂ  ガイドウォール開始端、１００  空気調和機。
【図１】
2016067408.tif 000003
【図２】
2016067408.tif 000004
【図３】
2016067408.tif 000005
【図４】
2016067408.tif 000006
【図５】
2016067408.tif 000007
【図６】
2016067408.tif 000008
【図７】
2016067408.tif 000009
【図８】
2016067408.tif 000010
【図９】
2016067408.tif 000011
【図１０】
2016067408.tif 000012
【図１１】
2016067408.tif 000013
【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
吸込口および吹出口を有する本体と、
前記本体内に設けられた貫流ファンと、
前記本体内に設けられた熱交換器とを備え、
前記本体は、前面、背面、上面および下面を含んでおり、
前記吸込口は、前記上面に形成されており、
前記本体高さ寸法Ｈ／ファン外径Ｄｆは、２．２〜２．７であり、
前記熱交換器の前上傾斜部の後部と、鉛直方向との間の傾斜角度βは、３０°〜４５°であり、
前記熱交換器前部の上端からファン外周端までの高さ差を、最小高さＨ１としたとき、最小高さＨ１／ファン外径Ｄｆが、０．５〜０．７である、
空気調和機。
【請求項２】
前記吹出口の上流は、吹出側流路であり、
前記吹出側流路における前記背面側は、ガイドウォールによって画定されており、
前記熱交換器の熱交換器前部の上端は、ファン回転中心Ｏより前方に配置されており、
前記熱交換器前部の上端からファン外周端までの高さ差を、最小高さＨ１とし、前記熱交換器前部の上端から前記ガイドウォールの開始端までの前後方向距離を、前後方向距離Ｄｇとしたとき、最小高さＨ１／前後方向距離Ｄｇは、１．１〜１．４である、
請求項１の空気調和機。
【請求項３】
吸込口および吹出口を有する本体と、
前記本体内に設けられた貫流ファンと、
前記本体内に設けられた熱交換器とを備え、
前記本体は、前面、背面、上面および下面を含んでおり、
前記吸込口は、前記上面に形成されており、
前記本体高さ寸法Ｈ／ファン外径Ｄｆは、２．２〜２．７であり、
前記熱交換器の前上傾斜部の後部と、鉛直方向との間の傾斜角度βは、３０°〜４５°であり、
前記吹出口の上流は、吹出側流路であり、
前記吹出側流路における前記背面側は、ガイドウォールによって画定されており、
前記熱交換器の熱交換器前部の上端は、ファン回転中心Ｏより前方に配置されており、
前記熱交換器前部の上端からファン外周端までの高さ差を、最小高さＨ１とし、前記熱交換器前部の上端から前記ガイドウォールの開始端までの前後方向距離を、前後方向距離Ｄｇとしたとき、最小高さＨ１／前後方向距離Ｄｇは、１．１〜１．４である、
空気調和機。
【請求項４】
前記吹出口の上流は、吹出側流路であり、
前記吹出側流路における前記背面側は、ガイドウォールによって画定されており、
吸込側流路及び前記吹出側流路を区画するスタビライザーの先端部は、舌部であり、
側方から見て、前記貫流ファンと前記舌部との距離が最も小さい位置を、該舌部の最小ギャップ位置とし、該最小ギャップ位置とファン回転中心Ｏとを結ぶ仮想の直線を、直線Ｘ１とし、ファン回転中心Ｏと前記ガイドウォールの開始端とを結ぶ仮想の直線を、直線Ｘ２とし、前記直線Ｘ１と前記直線Ｘ２との成す角度のうち前記吸込側流路の側で生じる角度を、ファン吸込角度γとしたとき、前記ファン吸込角度γは、１５０°〜１８０°であり、
前記吹出側流路における前記前面側は、ディフューザーによって画定されており、
前記ディフューザーは、側方から見て、該ディフューザーの下流側ほど該ディフューザーの上流部の延長方向である上流部仮想直線Ｓ１から離れる部分を有している、
請求項１〜３の何れか一項の空気調和機。
【請求項５】
前記吹出口の上流は、吹出側流路であり、
前記吹出側流路における前記前面側は、ディフューザーによって画定されており、
側方から見て、前記ディフューザーの上流部の直線部分の延長方向を上流部仮想直線Ｓ１とし、前記ディフューザーの下流部の直線部分の延長方向を下流部仮想直線Ｓ２としたとき、前記上流部仮想直線Ｓ１と前記下流部仮想直線Ｓ２との成す角度αは、５°〜４０°である、
請求項１〜４の何れか一項の空気調和機。
【国際調査報告】
2016067408.tif 000014
2016067408.tif 000015
2016067408.tif 000016
2016067408.tif 000017